【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することと
を備える、ワイヤレス通信の方法。
【請求項２】
前記第１の探索空間が共通探索空間（ＣＳＳ）であり、前記第２の探索空間がユーザ機器固有探索空間（ＵＥＳＳ）である、請求項１に記載の方法。
【請求項３】
前記第１の探索空間がユーザ機器固有探索空間（ＵＥＳＳ）であり、前記第２の探索空間が共通探索空間（ＣＳＳ）である、請求項１に記載の方法。
【請求項４】
前記第２の開始インデックスにおいて前記第２の探索空間中で前記第２の制御メッセージを送信することをさらに備える、請求項１に記載の方法。
【請求項５】
前記情報フィールドは、非周期チャネル状態情報（ＣＳＩ）トリガリングフィールド、非周期サウンディング基準信号（ＳＲＳ）トリガリングフィールド、またはマルチクラスタ割当てフラグフィールドを備える、請求項１に記載の方法。
【請求項６】
第１の探索空間中で第１の制御メッセージを送信するための第１の開始インデックスを決定するための手段と、
第２の探索空間中で第２の制御メッセージを送信するための第２の開始インデックスを決定するための手段と、
前記第１の開始インデックスと前記第２の開始インデックスとが同じ値を有するとき、
前記第１の制御メッセージと前記第２の制御メッセージとの間で異なる少なくとも１つの情報フィールドを決定するための手段と、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定するための手段と、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定するための手段と
を備える、ワイヤレス通信のための装置。
【請求項７】
前記第２の開始インデックスにおいて前記第２の探索空間中で前記第２の制御メッセージを送信するための手段をさらに備える、請求項６に記載の装置。
【請求項８】
前記第１の探索空間は共通探索空間（ＣＳＳ）であり、前記第２の探索空間はユーザ機器固有探索空間（ＵＥＳＳ）である、請求項６に記載の装置。
【請求項９】
前記第１の探索空間はユーザ機器固有探索空間（ＵＥＳＳ）であり、前記第２の探索空間は共通探索空間（ＣＳＳ）である、請求項６に記載の装置。
【請求項１０】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項６に記載の装置。
【請求項１１】
メモリと、
前記メモリに結合され、
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なるそれぞれのビットを有する少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することと
を行うように構成された少なくとも１つのプロセッサ
を備える、ワイヤレス通信のための装置。
【請求項１２】
前記少なくとも１つのプロセッサが、前記第２の開始インデックスにおいて前記第２の探索空間中で前記第２の制御メッセージを送信するようにさらに構成された、請求項１１に記載の装置。
【請求項１３】
前記第１の探索空間は共通探索空間（ＣＳＳ）であり、前記第２の探索空間はユーザ機器固有探索空間（ＵＥＳＳ）である、請求項１１に記載の装置。
【請求項１４】
前記第１の探索空間はユーザ機器固有探索空間（ＵＥＳＳ）であり、前記第２の探索空間は共通探索空間（ＣＳＳ）である、請求項１１に記載の装置。
【請求項１５】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項１１に記載の装置。
【請求項１６】
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なるそれぞれのビットを有する少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することと
を行うためのコードを備えるコンピュータで実行可能なコードを記憶する非一時的なコンピュータ可読媒体。
【請求項１７】
前記非一時的なコンピュータ可読媒体が、前記第２の開始インデックスにおいて前記第２の探索空間中で前記第２の制御メッセージを送信するためのコードをさらに備える、請求項１６に記載の非一時的なコンピュータ可読媒体。
【請求項１８】
前記第１の探索空間は共通探索空間（ＣＳＳ）であり、前記第２の探索空間はユーザ機器固有探索空間（ＵＥＳＳ）である、請求項１６に記載の非一時的なコンピュータ可読媒体。
【請求項１９】
前記第１の探索空間はユーザ機器固有探索空間（ＵＥＳＳ）であり、前記第２の探索空間は共通探索空間（ＣＳＳ）である、請求項１６に記載の非一時的なコンピュータ可読媒体。
【請求項２０】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項１６に記載の非一時的なコンピュータ可読媒体。
【手続補正２】
【補正対象書類名】明細書
【補正対象項目名】０１４６
【補正方法】変更
【補正の内容】
【０１４６】
[00163]  以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られている、または後で知られることになる、本開示全体にわたって説明された様々な態様の要素のすべての構造的および機能的均等物は、参照により本明細書に明確に組み込まれ、特許請求の範囲によって包含されるものとする。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
[Ｃ１]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を備える、ワイヤレス通信の方法。
[Ｃ２]
前記第１の開始インデックスが、少なくとも、前記第１の制御情報を送信するために使用される前記第１の探索空間に対応する候補インデックスとアグリゲーションレベルとに基づいて決定される、Ｃ１に記載の方法。
[Ｃ３]
前記第２の開始インデックスが、少なくとも、前記第２の制御情報を送信するための前記第２の探索空間に対応する候補インデックスとアグリゲーションレベルとに基づいて決定される、Ｃ１に記載の方法。
[Ｃ４]
前記第１の開始インデックスの値と同じでない前記第２の開始インデックスの値をもたらす前記第２の開始インデックスを決定するための少なくとも１つの候補インデックスを選択することをさらに備える、Ｃ３に記載の方法。
[Ｃ５]
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
をさらに備える、Ｃ１に記載の方法。
[Ｃ６]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を備える、ワイヤレス通信の方法。
[Ｃ７]
前記制御情報が、前記第２の探索空間中で第２の制御情報を送信するための開始インデックスと同じである開始インデックスにおいて前記第１の探索空間中で送信される、Ｃ６に記載の方法。
[Ｃ８]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中で前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を備える、ワイヤレス通信の方法。
[Ｃ９]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を備える、ワイヤレス通信の方法。
[Ｃ１０]
前記第１の探索空間が共通探索空間（ＣＳＳ）であり、前記第２の探索空間がユーザ機器固有探索空間（ＵＥＳＳ）である、Ｃ９に記載の方法。
[Ｃ１１]
前記第１の探索空間がユーザ機器固有探索空間（ＵＥＳＳ）であり、前記第２の探索空間が共通探索空間（ＣＳＳ）である、Ｃ９に記載の方法。
[Ｃ１２]
前記第２の開始インデックスにおいて前記第２の探索空間中で前記第２の制御メッセージを送信することをさらに備える、Ｃ９に記載の方法。
[Ｃ１３]
第１の探索空間中で第１の制御情報を送信するための第１の開始インデックスを決定するための手段と、
第２の探索空間中で第２の制御情報を送信するための第２の開始インデックスを決定するための手段と、
前記第１の開始インデックスと前記第２の開始インデックスとが同じ値でないとき、前記第２の開始インデックスにおいて前記第２の探索空間中で前記第２の制御情報を送信するための手段と
を備える、ワイヤレス通信のための装置。
[Ｃ１４]
前記第１の開始インデックスと前記第２の開始インデックスとが同じ値であるとき、前記第２の開始インデックスにおいて前記第２の探索空間中で前記第２の制御情報を送信することを控えるための手段と、
前記第１の開始インデックスと同じ値を有する開始インデックスを使用することを回避することによって、前記第２の探索空間中で前記第２の制御情報を送信するための第３の開始インデックスを決定するための手段と、
前記第１の開始インデックスと前記第３の開始インデックスとが同じ値でないとき、前記第３の開始インデックスにおいて前記第２の探索空間中で前記第２の制御情報を送信するための手段と
をさらに備える、Ｃ１３に記載の装置。
[Ｃ１５]
第１の探索空間中で制御情報をユーザ機器（ＵＥ）に送信するための手段と、
前記送信された制御情報に対応する前記ＵＥからの情報を受信するための手段と、
前記ＵＥが前記第１の探索空間に従って前記制御情報をパースすることに基づいて、および前記ＵＥが第２の探索空間に従って前記制御情報を間違ってパースすることに基づいて、前記受信した情報を復号するための手段と
を備える、ワイヤレス通信のための装置。
[Ｃ１６]
前記制御情報が、前記第２の探索空間中で第２の制御情報を送信するための開始インデックスと同じである開始インデックスにおいて前記第１の探索空間中で送信される、Ｃ１５に記載の装置。
[Ｃ１７]
第１の探索空間中の第１の制御情報のために使用されるいくつかの制御チャネル要素（ＣＣＥ）を有する第１のアグリゲーションレベルを決定するための手段と、
前記第１のアグリゲーションレベルよりも低い値を有する第２のアグリゲーションレベルを使用して、第２の探索空間中で第２の制御情報を送信するための手段と、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定するための手段と、
前記第１の探索空間中の前記第１の制御情報の復号を劣化させるために、前記少なくとも１つの未使用ＣＣＥ上で干渉を送信するための手段と
を備える、ワイヤレス通信のための装置。
[Ｃ１８]
第１の探索空間中で第１の制御メッセージを送信するための第１の開始インデックスを決定するための手段と、
第２の探索空間中で第２の制御メッセージを送信するための第２の開始インデックスを決定するための手段と、
前記第１の開始インデックスと前記第２の開始インデックスとが同じ値を有するとき、
前記第１の制御メッセージと前記第２の制御メッセージとの間で異なる少なくとも１つの情報フィールドを決定するための手段と、
前記第１の制御メッセージおよび前記第２の制御メッセージ中の前記少なくとも１つの異なる情報フィールドのビットを０に設定するための手段と
を備える、ワイヤレス通信のための装置。
[Ｃ１９]
前記第２の開始インデックスにおいて前記第２の探索空間中で前記第２の制御メッセージを送信するための手段をさらに備える、Ｃ１８に記載の装置。
[Ｃ２０]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を行うように構成された処理システム
を備える、ワイヤレス通信のための装置。
[Ｃ２１]
前記処理システムが、
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
を行うようにさらに構成された、Ｃ２０に記載の装置。
[Ｃ２２]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を行うように構成された処理システム
を備える、ワイヤレス通信のための装置。
[Ｃ２３]
前記制御情報が、前記第２の探索空間中で第２の制御情報を送信するための開始インデックスと同じである開始インデックスにおいて前記第１の探索空間中で送信される、Ｃ２２に記載の装置。
[Ｃ２４]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を行うように構成された処理システム
を備える、ワイヤレス通信のための装置。
[Ｃ２５]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を行うように構成された処理システム
を備える、ワイヤレス通信のための装置。
[Ｃ２６]
前記処理システムが、前記第２の開始インデックスにおいて前記第２の探索空間中で前記第２の制御メッセージを送信するようにさらに構成された、Ｃ２５に記載の装置。
[Ｃ２７]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を行うためのコードを備えるコンピュータ可読媒体
を備える、コンピュータプログラム製品。
[Ｃ２８]
前記コンピュータ可読媒体が、
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
を行うためのコードをさらに備える、Ｃ２７に記載のコンピュータプログラム製品。
[Ｃ２９]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を行うためのコードを備えるコンピュータ可読媒体
を備える、コンピュータプログラム製品。
[Ｃ３０]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を行うためのコードを備えるコンピュータ可読媒体
を備える、コンピュータプログラム製品。
[Ｃ３１]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を行うためのコードを備えるコンピュータ可読媒体
を備える、コンピュータプログラム製品。
[Ｃ３２]
前記コンピュータ可読媒体が、前記第２の開始インデックスにおいて前記第２の探索空間中で前記第２の制御メッセージを送信するためのコードをさらに備える、Ｃ３１に記載のコンピュータプログラム製品。